(57)【要約】【課題】  充填機やリンサ等の機能設備に一体に組み込む容器搬送手段として、容器の首部と充填ノズルや洗浄ノズルの中心線と一致させて、容器センターリングを確実にするようなグリッパを備えた搬送装置を提供することを目的とする。【解決手段】  水平回転体の一定円周上に等ピッチに備えられた複数の液体処理機能部品の容器保持位置に容器グリッパ手段と容器センターリング部材とが取付けられ、回転体が回転しているとき、決められた位置で他の搬送手段から容器を連続受け取り容器を処理後、次の搬送手段へ受け渡しする容器受渡し搬送装置において、固定部材に設置されていて前記回転体の決められた角度位置で前記グリッパ手段に係合して容器把持と容器解放作動をするカム手段と、固定部材に設置されていて前記センターリング部材に係合して容器を正しい処理位置にセンターリングさせる容器位置決めカム手段と、を備えたこと。【選択図】  図１
2006016107.tif 000002
【特許請求の範囲】
【請求項１】
水平回転体の一定円周上に等ピッチに備えられた複数の液体処理機能部品の容器保持位置に容器グリッパ手段と容器センターリング部材とが取付けられ、回転体が回転しているとき、決められた位置で他の搬送手段から容器を連続受け取り容器を処理後、次の搬送手段へ受け渡しする容器受渡し搬送装置において、固定部材に設置されていて前記回転体の決められた角度位置で前記グリッパ手段に係合して容器把持と容器解放作動をするカム手段と、固定部材に設置されていて前記センターリング部材に係合して容器を正しい処理位置にセンターリングさせる容器位置決めカム手段と、を備えたことを特徴とする容器受け渡し搬送装置。
【請求項２】
請求項１に記載する容器受け渡し搬送装置の容器グリッパ手段は、グリッパ本体に対称に一対回転可能に設けられた回転軸に固着され互いに逆方向に回転するように係合する一対の対称形のグリップアームと、一対のグリップアームの間に容器を把持する方向に把持力が加わるように設置された付与圧ばねと、一対のグリップアームの一つの前記回転軸に固定され前記グリップアームと同方向回転をするカムフォロワーアームと、同カムフォロワーアームの端部に取付けられ前記グリッパ作動カム手段に係合するカムフォロワーと、
により構成されたことを特徴とする容器受け渡し搬送装置。
【請求項３】
請求項１に記載する液体処理機能部品がフィラノズルであって、請求項２に記載する複数の容器グリッパ手段が容器内に液体を充填するそれぞれの充填ノズル位置に取付けられた構成を備え、請求項１または請求項２に記載の容器受け渡し搬送装置を有することを特徴とするロータリー液体フィラ。
【請求項４】
請求項１に記載する容器受け渡し搬送装置において、上述回転体に固設する複数のグリッパ支持部材と、水平嵌合孔ボスとガイドフォロワーを追設した請求項２に記載する容器グリッパ手段の容器グリッパ本体と、グリッパ支持部材と容器グリッパ本体の嵌合孔ボスを突き通す水平回転軸と、回転体の回りに取付けられた固定ガイド棒とが備えられ、回転体の水平回転中に容器グリッパ本体のガイドフォロワーが前記固定ガイド棒に案内されて容器グリッパー本体が容器を保持した状態で１８０度回転し、一定時間その位置を保持した後、元の状態に復帰するようにしたことを特徴とする容器受け渡し搬送装置。
【請求項５】
容器を１８０度転回した逆さ位置で容器内を洗浄するロータリーリンサー装置において、請求項４に記載する容器グリッパ手段が容器を保持し、１８０度回転したときに保持した容器の口が洗浄液を噴出するリンサノズルの噴出線上に来るように取付けられた構成を特徴とするロータリーリンサ装置。
【請求項６】
請求項１に記載する容器受け渡し搬送装置のグリッパアームの作動カム手段は、固定部材に取付けられた作動端部が任意位置に停止可能なアクチュエータと、同アクチュエータによって前述回転体の半径方向に移動するグリッパ作動カムとにより構成され、該グリッパ作動カムの移動によりグリッパの開度及びグリッパの開き位置が調整可能であることを特徴とする容器受け渡し搬送装置。
【請求項７】
請求項６に記載する容器受け渡し搬送装置のグリッパアームの作動カム手段において、
固定部材に取付けられるアクチュエータを加圧エア作動のエアアクチュエータとし、前述回転体の半径方向に移動するグリッパ作動カムがエアアクチュエータによって２段階に移動し、グリッパの開度及びグリッパの開き位置が即座に２段階に変更されることを特徴とする容器受け渡し搬送装置。
【請求項８】
請求項１に記載する容器受け渡し搬送装置における前記センターリング部材の回転体の半径方向の位置を調整可能な容器位置決めカム手段は、容器センターリング部材と、固定部材に取付けられた任意位置に停止可能なアクチュエータと、同アクチュエータによって移動するガイドカムと、センターリング部材に取付けられ前記ガイドカムにガイドされるカムフロワとで構成されたことを特徴とする容器受け渡し搬送装置。
【請求項９】
請求項８に記載する前記センターリング部材の半径方向の位置決めカム手段は、容器グリッパ本体内の回転体半径方向の貫通孔にガイドされた容器センターリング部材と、センターリング部材に取付けられたカムフロワと、容器グリッパ本体に設けたばね力が働くボールノックと、センターリング部材に明けられ前記ボールノックのボールを受け入れてセンターリング部材の位置を保持する２カ所の円錐状ノック穴と、固定部材に取付けられた３段階作動するエアアクチュエータと、カムフロワの直径より幅広いガイド溝を有して前記エアアクチュエータによって前記カムフォロワを２段階及び中立位置に移動するガイドカムと、センターリング部材の位置確認手段とで構成されたことを特徴とする容器受け渡し搬送装置。
【請求項１０】
請求項９に記載する容器位置の調整手段における容器センターリング位置確認手段は、容器センターリング部材の全てに取付けられた検知体と、上記ガイドカムに取付けられ、前記検知体を検出するタッチセンサ又は近接センサとにより構成されていることを特徴とする容器受け渡し搬送装置。
【請求項１１】
請求項１、２及び４に記載する容器受け渡し搬送装置、請求項３に記載するフィラー及び請求項５に記載するリンサーにおけるグリッパが容器をグリップする位置は容器の首部であることを特徴とする容器受け渡し搬送装置。
【請求項１２】
請求項１１に記載する容器受け渡し搬送装置において、グリッパがグリップする容器の首部の呼称サイズは２８ｍｍと３８ｍｍであることを特徴とする容器受け渡し搬送装置。
【発明の詳細な説明】
【技術分野】
【０００１】
本発明は、液体の充填ラインにおいて、容器を連続して順番に水平ロータリー処理装置へ受け渡す処理装置自装の容器受け渡し搬送装置に関し、特に、容器の首部を掴み、確実にセンターリングができて容器内洗浄、充填等の処理が可能なグリッパ式の受け渡し搬送装置に関する。
【背景技術】
【０００２】
容器を、１つの水平ロータリー処理装置から他の水平ロータリー処理装置へ受け渡すとき、例えば、水平ロータリーのスターホイールからロータリー液体充填機へ、ロータリー液体充填機から２つ目のスターホイールを経て、次のロータリー機能設備へ容器を受け渡すとき、以前は、容器の胴部の断面形状に合うような凹部を容器の搬送ピッチと同じピッチに設けたスターホイールと、容器の底部を支える円板で支えて回転しながら受け渡し搬送をしていた。この容器受け渡し方式においては、容器の形状、サイズを替えるときは、２つのスターホイールを取り換え、容器の底部を支える円板の高さを変えるようにしていたが、この型替えには多くの手間と時間を要するので、最近は、スターホイールを取り換えることなく、容器の形状、サイズの変更に対応することができるようなグリッパ（クランプ）式の搬送装置が種々提案されている。
【０００３】
例えば、特許文献１（特許第２６９７５３６号公報）に記載されたクランプ式の搬送装置で示されるように、搬送装置は回転体に、左右一対のクランプアームからなる複数個のクランプが円周上に等ピッチで配置された構成で、それぞれのクランプのクランプアームの間に回転体の半径方向の位置が調整可能な位置決め部材を備え、容器はクランプと位置決め部材によって把持され、回転体上を搬送される。クランプは固定部材に取付けられたカムにより、左右のクランプアームが互いに逆回転して開閉するように作動し、所定の位置において容器をクランプする。
位置決め部材は、同部材に取付けられたカムローラが、回転体に回転可能に取付けられた複数の螺旋状溝カムに係合し、容器外径に応じて螺旋状溝カムを回転体に対して相対的に回して位置決め部材の突出量を調整できるようになっている。  
【０００４】
特許文献２（特開平８−３１０６５３号公報）に記載されたグリッパ式の搬送装置の従来例は、送りピッチと方向を揃えて送られてきた容器は、回転体の円周上に等ピッチで配置されている複数のグリッパによって把持され、回転体上を搬送される。グリッパは左右一対のグリッパアームを有し、グリッパ開閉手段により回転体の決まった角度位置で開閉作動される。
グリッパ開閉手段は、回転体に設置された制御レバーを固定部材に設けた当接ピンに接触させて回転させ、制御レバーに直結された拡張体（楕円カム）が回転することによってグリッパアームが開閉する。拡張体はグリッパアームが容器を把持するように作動する。グリッパの開き幅の調整は、当接ピンを移動させ、制御レバーの回転角を変更して設定する。
【０００５】
上記のグリッパ式の搬送装置は、軽量で断面形状が自由に選択しやすい樹脂容器の搬送装置に適しており、この搬送装置の搬送機能を、充填機、容器内の洗浄装置に併用して、例えば、容器割り出し手段付きコンベアから、搬送装置付き充填機に直接受け渡し、容器に液体を充填後、直接に次のコンベア等の搬送装置に渡すような生産ラインの単純化が試みられている。
【０００６】
但し、多くの樹脂容器の首部には、スターホイール間の容器受け渡しを容易にするための可成り大径の鍔が設けられていて、首部のサイズが一定の容器のみを取り扱うラインであれば、例えば、ロータリー液体充填機への受け渡しのとき、充填機に容器の搬送ピッチと同じピッチに、首部の断面形状に合う凹部を設けたスターホイールを取付け、容器がこのスターホイールで支えられてとき、外周側を押さえて容器のセンターリングを行って液体を充填するようにしたものが一般的に使われている。
【特許文献１】特許第２６９７５３６号公報（図１〜図３）
【特許文献２】特開平８−３１０６５３号公報（図１〜図３）
【発明の開示】
【発明が解決しようとする課題】
【０００７】
特許文献１の従来例の搬送装置は、容器のセンターリング位置決め部材を調整するスパイラル溝カムがグリッパと同じ数量必要で、若しこの搬送装置の機構を建本数の多い充填機に用いたときは、上記スパイラル溝カムの外径が大径となり、スパイラル溝の加工が複雑で、高コストとなるので、充填機と一体の搬送手段には適さない。
【０００８】
また、特許文献２の搬送装置は、容器胴部のグリッパだけで容器を保持する構造で、容器のセンタリングが不十分であるため、充填機に用いたときは、充填バルブとの中心線を一致させることが困難である。
従来例の搬送装置において、首部の断面形状に合う凹部を設けたスターホイールに樹脂容器の鍔のある首部を係合させて送る方式は、首部のサイズが異なった容器に替える場合には、大幅な部品の取り替えが必要となり、多くの手数がかかるという問題点がある。
【０００９】
本発明は、上記の問題点を解決するために提案されたもので、充填機やリンサ等の機能設備に一体に組み込む容器搬送手段として、容器の首部と充填ノズルや洗浄ノズルの中心線と一致させて、容器センターリングを確実にするようなグリッパを備えた搬送装置を提供することを目的とする。
【課題を解決するための手段】
【００１０】
上記の問題点に対し、本発明は以下の各手段により課題の解決を図る。
（１）水平回転体の一定円周上に等ピッチに備えられた複数の液体処理機能部品の容器保持位置に容器グリッパ手段と容器センターリング部材とが取付けられ、回転体が回転しているとき、決められた位置で他の搬送手段から容器を連続受け取り容器を処理後、次の搬送手段へ受け渡しする容器受渡し搬送装置において、
固定部材に設置されていて前記回転体の決められた角度位置で前記グリッパ手段に係合して容器把持と容器解放作動をするカム手段と、固定部材に設置されていて前記センターリング部材に係合して容器を正しい処理位置にセンターリングさせる容器位置決めカム手段とを備えた容器受け渡し搬送装置。
【００１１】
（２）上記（１）に記載する容器受け渡し搬送装置の容器グリッパ手段は、グリッパ本体に対称に一対回転可能に設けられた回転軸に固着され互いに逆方向に回転するように係合する一対の対称形のグリップアームと、一対のグリップアームの間に容器を把持する方向に把持力が加わるように設置された付与圧ばねと、一対のグリップアームの一つの前記回転軸に固定され前記グリップアームと同方向回転をするカムフォロワーアームと、
同カムフォロワーアームの端部に取付けられ前記グリッパ作動カム手段に係合するカムフォロワーとにより構成された容器受け渡し搬送装置。
【００１２】
（３）上記（１）に記載する液体処理機能部品がフィラノズルであって、上記（２）に記載する複数の容器グリッパ手段が容器内に液体を充填するそれぞれの充填ノズル位置に取付けられた構成を備え、上記（１）または（２）に記載の容器受け渡し搬送装置を有するロータリー液体フィラ。
【００１３】
（４）上記（１）に記載する容器受け渡し搬送装置において、上述回転体に固設する複数のグリッパ支持部材と、水平嵌合孔ボスとガイドフォロワーを追設した上記（２）に記載する容器グリッパ手段の容器グリッパ本体と、グリッパ支持部材と容器グリッパ本体の嵌合孔ボスを突き通す水平回転軸と、回転体の回りに取付けられた固定ガイド棒とが備えられ、回転体の水平回転中に容器グリッパ本体のガイドフォロワーが前記固定ガイド棒
に案内されて容器グリッパー本体が容器を保持した状態で１８０度回転し、一定時間その位置を保持した後、元の状態に復帰するようにした容器受け渡し搬送装置。
【００１４】
（５）容器を１８０度転回した逆さ位置で容器内を洗浄するロータリーリンサー装置において、上記（４）に記載する容器グリッパ手段が容器を保持し、１８０度回転したときに保持した容器の口が洗浄液を噴出するリンサノズルの噴出線上に来るように取付けられたロータリーリンサ装置。
（６）上記（１）に記載する容器受け渡し搬送装置のグリッパアームの作動カム手段は、固定部材に取付けられた作動端部が任意位置に停止可能なアクチュエータと、同アクチュエータによって前述回転体の半径方向に移動するグリッパ作動カムとにより構成され、該グリッパ作動カムの移動によりグリッパの開度及びグリッパの開き位置が調整可能である容器受け渡し搬送装置。
【００１５】
（７）上記（６）に記載する容器受け渡し搬送装置のグリッパアームの作動カム手段において、固定部材に取付けられるアクチュエータを加圧エア作動のエアアクチュエータとし、前述回転体の半径方向に移動するグリッパ作動カムがエアアクチュエータによって２段階に移動し、グリッパの開度及びグリッパの開き位置が即座に２段階に変更される容器受け渡し搬送装置。
（８）上記（１）に記載する容器受け渡し搬送装置における前記センターリング部材の回転体の半径方向の位置を調整可能な容器位置決めカム手段は、容器センターリング部材と、固定部材に取付けられた任意位置に停止可能なアクチュエータと、同アクチュエータによって移動するガイドカムと、センターリング部材に取付けられ前記ガイドカムにガイドされるカムフロワとで構成された容器受け渡し搬送装置。
【００１６】
（９）上記（８）に記載する前記センターリング部材の半径方向の位置決めカム手段は、容器グリッパ本体内の回転体半径方向の貫通孔にガイドされた容器センターリング部材と、センターリング部材に取付けられたカムフロワと、容器グリッパ本体に設けたばね力が働くボールノックと、センターリング部材に明けられ前記ボールノックのボールを受け入れてセンターリング部材の位置を保持する２カ所の円錐状ノック穴と、固定部材に取付けられた３段階作動するエアアクチュエータと、カムフロワの直径より幅広いガイド溝を有して前記エアアクチュエータによって前記カムフォロワを２段階及び中立位置に移動するガイドカムと、センターリング部材の位置確認手段とで構成された容器受け渡し搬送装置。
【００１７】
（１０）上記（９）に記載する容器位置の調整手段における容器センターリング位置確認手段は、容器センターリング部材の全てに取付けられた検知体と、上記ガイドカムに取付けられ、前記検知体を検出するタッチセンサ又は近接センサとにより構成されている容器受け渡し搬送装置。
（１１）上記（１）、（２）及び（４）に記載する容器受け渡し搬送装置、上記（３）に記載するフィラー及び上記（５）に記載するリンサーにおけるグリッパが容器をグリップする位置は容器の首部である容器受け渡し搬送装置。
（１２）上記（１１）に記載する容器受け渡し搬送装置において、グリッパがグリップする容器の首部の呼称サイズは２８ｍｍと３８ｍｍである容器受け渡し搬送装置。  
【発明の効果】
【００１８】
請求項１に係わる発明は、請求項２に係わる上記第２の手段の容器グリッパと、請求項６に係わる第６の手段のグリッパ作動カム手段を備えた第１の手段の搬送装置であり、グリッパ作動カムを移動させることで、容器受け渡しゾーンでのグリッパ開き幅及びグリッパの開閉位置を容易に変更することができ、また、第１の手段の搬送装置は、同時に、請求項８に係わる発明の上記第８の手段と、請求項９に係わる発明の上記第９の手段の容器の半径方向の位置の調整手段を備えているので、容器のサイズや形状の変更に素早く対応し、確実に容器をグリップすることができ、また、上記のように、容器のセンターリングが確実にできるので、ロータリーフィラーやロータリーリンサーの機能作動時の容器の位置決め回動搬送用として、装置に組込むことができる効果がある。
【００１９】
請求項１０に係わる発明の上記第１０の手段の位置確認手段は、容器センターリング部材の決められた位置固定を容器センターリング部材個々に行うもので、個々の容器センーリング部材はそれぞれのカムフォロワがガイドカムにガイドされ、ボールノックと、センターリング部材のノック穴とで位置決めされた後は、カムフォロワはガイドカムのガイドから離れ、フリーになるが、この位置確認手段によりセンターリング部材の位置がチェックできる。
【００２０】
請求項７に係わる発明の、上記第７の手段のグリッパアームの作動角度調整カム手段と、請求項９に係わる発明の上記第９の手段の容器の半径方向の位置の調整手段は、搬送装置が２種類のサイズの容器を取り扱うときに、エアアクチュエータにより容易に即座に２段階に調整ができる簡便さを有し、特に請求項１１に係わる発明の、上記第１１の手段の容器の首部をグリップするとき、請求項１２に係わる発明の上記第１２の手段のような２種類の首径サイズを有する容器を扱うフィラー、リンサーに応用して最適となる。
【００２１】
請求項３に係わる発明の上記第３の手段のロータリー液体フィラーは、上記第１の手段の搬送装置を備えているので、余分な受取り受渡し装置が不要になり、フィラーノズルに対する容器のセンターリングが自動的にできるので、フィラーの機能を保持し、総合的なコストが減少する効果がある。
請求項５に係わる発明の上記第５の手段のロータリーリンサーは、請求項４に係わる発明の上記第４の手段の容器グリッパ手段を有する上記第１の手段の搬送装置を備えているので、余分な受取り受渡し装置が不要になり、リンサーノズルに対する容器のセンターリングが自動的にできるので、リンサーの機能を保持し、総合的なコストが減少する効果がある。
【発明を実施するための最良の形態】
【００２２】
飲料等の容器に用いられる材料は、形状が自在であり、軽量で強度もそこそこあり、リサイクルも容易なことから、次第にＰＥＴボトルに代表されるプラスチックボトルの比率が増加している。プラスチックボトルは軽量であることから、容器の首部で支持して搬送することが容易であり、一般的となっていて、中型以上のプラスチックボトルについては、首径サイズも２８ｍｍと３８ｍｍの略２種類に統一されている。
また、ボトル缶と呼ばれるリシールできる缶容器の首径サイズも２８ｍｍと３８ｍｍの２種類となっている。
本発明の搬送装置は、ＰＥＴボトルとボトル缶の両者に適用可能で、前記サイズの首部を把持し搬送する形態について以下に説明するが、他のサイズの容器についても適用可能であることはもちろんである。
（第１の実施の形態）
【００２３】
本発明の第１の実施の形態はロータリー液体フィラー用の容器受取り、受渡し搬送に使用される容器の首部をグリップする容器グリッパ手段である。以下、図に基づいて説明する。
図１はロータリー液体フィラーの平面模式図、図２はフィラー用グリッパ手段の側面断面図、図３は図２のグリッパ手段を矢印Ａ方向から見た平面図、図４は図２のグリッパ手段でサイズが大きい容器の首部をグリップしたときの状態を示す平面図、図５は図２のグリッパ手段が開いて容器の首部を離しているときの状態を示す平面図、図６は図２のグリッパ手段の容器センターリング部材による容器センターリング動作を説明する図である。
【００２４】
図１において、コンベア４によって供給された空の容器２８は、割り出しスクリュ９によって一定ピッチに割り出され、そのピッチに合わせて容器２８の首部が入る窪みが設けてあるスターホイール５に保持されて回転移動し、フィラー１との接点付近でフィラー１に備えられたグリッパ１１にグリップされる。フィラーグリッパ１１はフィラー１の回転体２の充填ノズル２０（図２を参照）と同じピッチ位置に備えられたグリッパ支持部材１２（回転体２にボルト４１等で固定されている。）に取付けられている。
【００２５】
フィラー用グリッパ１１にグリップされた容器２８（または容器３８）は、フィラー１が回転移動するとき、フィラー１の回転角度のＨＢの容器グリップゾーンで飲料水等の液体が充填され、実入り容器２８’（または実入り容器３８’）は、次のスターホイール６との接点付近においてフィラー用グリッパ１１から開放され、スターホイール６に渡され、スターホイール６から次の処理設備に向かうコンベア７に排出される。フィラー用グリッパ１１がグリッパ開閉用カム４３に係合して開くのは、回転角度のＨＡのグリッパ開ゾーンである。４４は同カム４３を外周方向に移動させるアクチュエータであり、アクチュエータ４４によるグリッパ開閉用カム４３の移動により、グリッパ１１の開度と開閉のタイミングを調整することができる。
【００２６】
図２と図３によりフィラー用グリッパ１１の構成を説明する。
フィラー用グリッパ１１は、上部グリッパ本体１３と下部グリッパ本体１４とが一体に組合わされたグリッパ本体１３と、容器をグリップするグリップ機構１０と、容器２８（容器３８）の口の中心線を充填ノズル２０の中心線に合わせるセンターリング機構とで構成される。
【００２７】
フィラー用グリッパ１１のグリップ機構１０は、グリッパ本体１３（グリッパ支持部材１２に両側部をボルト等で固定されている。）に回転可能に設けられた回転軸１６、１５に固着され、互いに逆方向に回転するように係合する一対の対称形のグリップアーム１０Ａ、１０Ｂと、グリップアーム１０Ａとグリップアーム１０Ｂの間に座２４を介して容器２８を把持する方向に把持力が加わるように設置された付与圧圧縮ばね２５と、グリップアーム１０Ａが固着された側の回転軸１６に固定されてグリップアーム１０Ａと同方向回転をするようになっているカムフォロワーアーム２１と、同カムフォロワーアーム２１の端部に取付けられグリッパ開閉用カム４３に係合するカムフォロワー２３（カムフォロワーアーム２１に回転可能に軸２２で支持されている。）とにより構成されている。グリップアーム１０Ａとグリップアーム１０Ｂの互いに逆方向に回転する機構は、両方のグリップアームの中間にローラ１９を軸方向のみを拘束してフリーに置き、グリップアーム１０Ａ、１０Ｂにローラ１９に係合する円筒歯型を創成して両方のグリップアームがローラ１９を介して噛合うようにしたものである。
【００２８】
グリッパアーム１０Ａ、１０Ｂの作動カム手段は、固定部材３に取付けられた作動端部が任意位置に停止可能な（例えばエンコーダと電流切断で働くブレーキが備えられた電気モータ）アクチュエータ４４と、同アクチュエータ４４によって回転体２の半径方向に移動するグリッパ開閉用カム４３とにより構成され、グリッパ開閉用カム４３の移動によりグリッパアーム１０Ａ、１０Ｂの開度及びフィラ用グリッパ１１の開き位置が調整可能である。
【００２９】
フィラー１で取り扱う容器の首部の径が２サイズであるとき（例えば首部径２８ｍｍの呼称サイズ２８の容器２８、と首部径３８ｍｍの呼称サイズ３８の容器３８）は、アクチュエータ４４は電気モータの代わりに、加圧エア作動のエアシリンダとしてよく、この場合は、回転体２の半径方向に５ｍｍだけ移動するグリッパ開閉用カム４３がエアアクチュエータ４４によって２段階に移動し、グリッパアーム１０の開度及びフィラ用グリッパ１１の開き位置を即座に２段階に変更することができる。
【００３０】
容器２８の首部の半径方向の位置調整手段は、容器の口の中心線を充填ノズル２０の中心線にセンターリングする手段であり、フィラ用グリッパ１１のセンターリング機構は、上部グリッパ本体１３に設けられた角溝に下部グリッパ本体１４が蓋されて形成された矩形の貫通孔に、センターリング部材２６が、摺動可能に嵌合し、センターリング部材２６の先端に容器当て座２７、反対側の端部に支台３３とセンターリング部材検知体５１を固設し、支台３３にカムフォロワー２９が取付けられた構成である。センターリング部材２６の中央付近には複数の円錐状穴２６ａ、２６ｂが明けられ、上部グリッパ本体１３に取付けられたボールノック３２のボールの係合穴となっている。容器の首径サイズが２８ｍｍと３８ｍｍの２種類の場合は、センターリング部材２６が容器２８と容器３８をセンターリングする位置に停止するような位置に円錐状穴２６ａ、２６ｂが５ｍｍ間隔で明けられ、センターリング部材２６をボールノック３２のばね力とボールで止めるようにしている。
【００３１】
センターリング部材２６を、首径サイズが２８ｍｍと３８ｍｍの２種類の所定置に移動させる駆動装置は、固定部材３に取付けられた第１のエアシリンダ４８と、エアシリンダ４８の駆動軸４９に結合する第２のエアシリンダ４６とで構成され、第２のエアシリンダ４６の駆動軸４７がセンターリング部材作動カム４５に結合されている。なお、センターリング部材作動カム４５の下部に固定されたブラケット５３には、ガイド棒５４，５４が取り付けられ、同棒５４はエアシリンダ４８を固定した台５５内のガイド穴内に挿入され、同棒５４の水平移動を案内している。第１のエアシリンダ４８と第２のエアシリンダ４６とが片方駆動のとき、両方駆動時、両方のエアシリンダが戻っているときと、センターリング部材作動カム４５の位置を３段階に決めることができる（但し、エアシリンダのストロークが等しい時）。
【００３２】
センターリング部材作動カム４５はカムフォロワ２９の直径より幅広いガイド溝を有
し、図６（Ｉ）は、第１のエアシリンダ４８と第２のエアシリンダ４６とが両方駆動して、センターリング部材作動カム４５が小径の容器２８の首部にセンターリングしたときを示している。図６（ＩＩＩ）は、両方のエアシリンダ４８、４６が（ｍ＋ｎ）だけ戻って、センターリング部材作動カム４５が大径の容器３８の首部をセンターリングしたときのセンターリング部材作動カム４５の位置を示している。図６（ＩＩ）は、エアシリンダ４８だけが（距離ｍ）だけ作動し、センターリング部材作動カム４５が中間位置でカムフォロワ２９と係合しないときを示している。カムフォロワ２９がセンターリング部材作動カム４５と接していなくても、センターリング部材２６はボールノック３２と円錐形のボールノック穴２６ａ、２６ｂの係合作用で停止位置を保持している。
【００３３】
センターリング部材２６の位置調整はフィラー１の運転開始の低速時に行われ、フィラー１が通常の稼働運転中はカムフォロワ２９がセンターリング部材作動カム４５と係合しないので、センターリング部材作動カム４５とカムフォロワ２９との摩耗がなく、耐久性が大きい。
【００３４】
万一、ボールノック３２と円錐状穴２６ａ、または、２６ｂとの係合が外れたときは、容器２８又は容器３８のセンターリングが不成立となり、液体が容器外へこぼれる虞があるので、センターリング部材２６の位置確認手段が設けてある。センターリング部材２６の位置確認手段は、センターリング部材２６の全てに取付けられた検知片５１ａ付き検知体５１と、センターリング部材作動カム４５に取付けられ、検知片５１ａを検出する近接センサ５２とにより構成される。フィラー１が稼働中に、近接センサ５２が検知片５１ａを検出したときは、運転ＯＫであり、近接センサ５２が何も検出しないときは、センターリング部材２６の位置不良、センターリング不成立として、フィラー１の運転停止等の処理を行う必要がある。
（第２の実施の形態）
【００３５】
本発明の第２の実施の形態はロータリーリンサー用の容器受取り、受渡し搬送装置に使用される容器グリッパ手段であり、以下、図に基づいて説明する。図１はロータリーリンサーの平面模式図を示し（ロータリーフィラーの説明と共用）、図７はロータリーリンサー用グリッパ手段の側面断面図、図８は図７のグリッパ手段を矢印Ｂ方向から見た平面図、図９は図７のグリッパ手段を１８０度回転した状態を示す側面図である。
【００３６】
リンサー３０の回転体２のリンサーノズル５０と同じピッチ位置に、グリッパ支持部材３４がボルト４１で回転体２に締付けて取付けられ、リンサー用グリッパ３１は図７に示すように、グリッパ支持部材３４に水平回転軸３６により回転可能に取付けられる。
図１において、リンサー３０に容器２８（または容器３８）が供給され、リンサー３０が回転移動するとき、リンサー３０の回転角度のＨＢの容器グリップゾーンでグリッパ３１が容器２８（又は容器３８）をグリップしたまま１８０度回転し、回転角度のＨＢの１／３〜１／２のゾーンでリンサーノズル５０から洗浄水が噴出して容器２８（又は容器３８）内を洗浄し、ＨＢの残りのゾーンで洗浄水を排水し、前と逆方向に１８０度回転して元の状態に戻され、スターホイール６との接点付近においてリンサー用グリッパ３１から開放され、スターホイール６を経てコンベア７に排出される。
【００３７】
リンサー用グリッパ３１がグリッパ開閉用カム４３の作用で開くのは、回転角度のＨＡのグリッパ開ゾーンである。グリッパ開閉用カム４３はアクチュエータ４４によりリンサー３０の外周方向に移動させ、グリッパ開閉用カム４３の移動により、リンサー用グリッパ３１の開度と開閉のタイミングを調整することができる。
【００３８】
図７と図８によりリンサー用グリッパ３１の構成を説明する。
リンサー用グリッパ３１のグリッパ本体は、上部グリッパ本体３５と下部グリッパ本体３７とが一体に組合わされたもので、容器をグリップするグリップ機構と、容器２８（容器３８）の口の中心線をリンサーノズル５０の中心線に合わせるセンターリング機構と、グリッパ本体を１８０度回転させるグリッパ回転機構を有している。
【００３９】
グリップ機構は第１の実施形態と全く同じ機構であり、部品番号も同じ番号を用いているので、説明は省略する。また、容器２８（容器３８）の口の中心線をリンサーノズル５０の中心線に合わせるセンターリング機構も取付け位置が裏返しになっていること以外は第１の実施形態の構成と作用と全く同じであるので重複を避け、説明は省略する。
リンサー３０が容器２８（容器３８）が逆転して洗浄作業を行うときは、グリッパ３１はグリッパ開閉用カム４３及びセンターリング部材作動カム４５の作動ゾーンと無関係のゾーンにあるので、同カム４３及び同カム４５と干渉することは無い。
【００４０】
グリッパ回転機構は、水平回転軸３６を、回転体２に固設しているグリッパ支持部材３４に備えられた水平の２股フォークの水平通し孔と、上部グリッパ本体３５に備えられた水平ボスに明けられた嵌合孔とに通すことによりグリッパ本体が回転可能に結合されている。下部グリッパ本体３７に設けられた突起に斜めにロッド６８が固定され、ロッド６８の先端に、ロッド６８の軸に対して回転自在な２股のガイドフォロワー３９が取付けられている。回転体２の外の周囲を回して固定して取付けられた固定ガイド棒４０とが備えられ、リンサー３０の回転中にグリッパ３１が、固定ガイド棒４０に案内されてグリッパー３１が容器２８（又は３８）を保持した状態で１８０度回転し、回転後一定時間その位置を保持した後、元の状態に復帰するようにしてある。
【図面の簡単な説明】
【００４１】
【図１】本発明の実施の形態に係るロータリー液体フィラー、又はリンサーの平面模式図である。
【図２】本発明の第１の実施の形態に係るロータリー液体フィラー用グリッパ手段の側面断面図である。
【図３】図２のグリッパ手段を矢印Ａ方向から見た平面図である。
【図４】図２のグリッパ手段でサイズが大きい容器の首部をグリップしたときの状態を示す平面図である。
【図５】図２のグリッパ手段が開いて容器の首部を離しているときの状態を示す平面図である。
【図６】図２のグリッパ手段の容器センターリング部材による容器センターリング動作を説明する図で、図６（Ｉ）は小径の容器首にセンターリングするときのカムの位置を示し、図６（ＩＩ）はカムが中間位置でカムフォロワと係合しないとき、図６（ＩＩＩ）は大径の容器首をセンターリングするときのカムの位置を示している。
【図７】本発明の第２の実施の形態に係るロータリー液体リンサー用グリッパ手段の側面断面図である。
【図８】図７のグリッパ手段を矢印Ｂ方向から見た平面図である。
【図９】図７のグリッパ手段を１８０度回転した状態を示す側面図である。
【符号の説明】
【００４２】
１    フィラー
２    回転体
３    固定部材
１０  グリップ機構
１１    フィラー用グリッパ
１２    グリッパ支持部材（フィラー用）
１３    上部グリッパ本体
１４    下部グリッパ本体
１０Ａ    グリップアーム
１０Ｂ    グリップアーム
２０    充填ノズル
２１    カムフォロワーアーム
２３    カムフォロワー
２５    圧縮ばね
２６    センターリング部材
２８    容器
２９    カムフォロワー
３０    リンサー
３１    リンサー用グリッパ
３２    ボールノック
３４    グリッパ支持部材（リンサー用）
３５    グリッパ本体Ａ
３７    グリッパ本体Ｂ
４０    ガイド棒
４３    グリッパ作動カム
４５    センターリング部材作動カム
５０    リンサーノズル
５１    検知体
５２    近接センサ
【図１】
2006016107.tif 000003
【図２】
2006016107.tif 000004
【図３】
2006016107.tif 000005
【図４】
2006016107.tif 000006
【図５】
2006016107.tif 000007
【図６】
2006016107.tif 000008
【図７】
2006016107.tif 000009
【図８】
2006016107.tif 000010
【図９】
2006016107.tif 000011